(57)【特許請求の範囲】
【請求項１】
一端に開口及び側壁に透孔が設けられた中空筒状のポール本体と、前記ポール本体に取着され前記ポール本体の側部に配線器具を据え付けるための器具据付体と、を備えてなり、
前記器具据付体は、前記透孔の少なくとも一部と連通する通孔を有する配線器具固定部と、前記開口を閉塞する蓋部と、前記ポール本体の内部に配管される電線管を接続する接続部と、を備え、
前記器具据付体は、前記配線器具固定部、前記蓋部及び前記接続部が一体的に組み付けられたものであることを特徴とする給電ポール。
【請求項２】
一端に開口及び側壁に透孔が設けられた中空筒状のポール本体と、前記ポール本体に取着され前記ポール本体の側部に配線器具を据え付けるための器具据付体と、を備えてなり、
前記器具据付体は、前記透孔の少なくとも一部と連通する通孔を有する配線器具固定部と、前記開口を閉塞する蓋部と、前記ポール本体の内部に配管される電線管を接続する接続部と、を備え、
前記ポール本体は四角筒状であり、前記透孔が前記側壁の隣接する３側面を切り欠いて形成されており、前記透孔の端縁に前記器具据付体が取着されていることを特徴とする給電ポール。
【請求項３】
一端に開口及び側壁に透孔が設けられた中空筒状のポール本体と、前記ポール本体に取着され前記ポール本体の側部に配線器具を据え付けるための器具据付体と、を備えてなり、
前記器具据付体は、前記透孔の少なくとも一部と連通する通孔を有する配線器具固定部と、前記開口を閉塞する蓋部と、前記ポール本体の内部に配管される電線管を接続する接続部と、を備え、
前記透孔は、前記器具据付体の裏面側を前記ポール本体の側部から前記ポール本体内に収容することが可能な幅で形成されていることを特徴とする給電ポール。
【請求項４】
前記透孔は、前記ポール本体一端の前記開口に連続することを特徴とする請求項１から３のいずれか一項に記載の給電ポール。
【請求項５】
前記透孔は前記ポール本体の軸方向に沿って切り欠き形成されていると共に、前記配線器具固定部は平板状であることを特徴とする請求項１から４のいずれか一項に記載の給電ポール。
【請求項６】
前記接続部は、前記配線器具固定部の裏側に備えられた箱状の配線ボックスの下端部に設けられていることを特徴とする請求項１から５のいずれか一項に記載の給電ポール。
【請求項７】
前記開口は、前記電線管を接続した状態の前記接続部を挿入可能な大きさを有することを特徴とする請求項１に記載の給電ポール。
【発明の詳細な説明】
【技術分野】
【０００１】
本発明は、外部に電力を供給するための給電ポールに関する。
【背景技術】
【０００２】
従来、屋外等で電気を利用するためには、建物等に配設されたコンセントや配電盤からケーブルを引いてくる必要があった。しかし、利用の都度、ケーブルを引いてくる作業は、非常に手間がかかり、容易な作業ではない。そこで、屋外等に電気を容易に供給するための手段として、例えば、特許文献１に給電ポールが提案されている。
【０００３】
特許文献１の給電ポールは、地面に立設されるパイプ状のポール本体（１）と、差し込み部がポール本体（１）の外部に露出した給電部としての防水コンセント（６）とを備え、当該防水コンセント（６）へ通電する電線（Ｃ）がポール本体（１）内部を通っている。この給電ポールでは、電源から防水コンセント（６）までの電線（Ｃ）の配線は次のように行われる。建屋側壁の配電盤を電源として、電線Ｃを内挿して保護する配管（１４）が地中を這って延伸される。そして、当該配管（１４）がポール（１）の配管挿通部（２）からポール本体（１）内部に挿通されると共に、隔壁（１５）にコネクタ（１６）を介して接続される。配管（１４）に内挿された電線（Ｃ）は、隔壁（１５）よりも上方へ通じて防水コンセント（６）に電気的に接続される。
【先行技術文献】
【特許文献】
【０００４】
【特許文献１】特開平６−８６４３３号公報
【発明の概要】
【発明が解決しようとする課題】
【０００５】
しかしながら、特許文献１の発明では、電線（Ｃ）を内挿する配管（１４）をポール（１）内に配管するには、ポール本体（１）の上端部開口又はコンセント取付孔から、手又は工具を差し込んで、ポール本体（１）内部で、配管（１４）をコネクタ（１６）で隔壁（１５）に接続する必要がある。つまり、これらの開口又は取付孔からの電線管接続作業は、ポール（１）内の閉塞された（狭）空間で行われ、且つ、作業者の目の届かない場所で手探りによって作業が行われるので、作業者にとって非常な困難且つ厄介な作業であった。したがって、従来の給電ポールでは、電力供給可能な状態に給電ポールを構築するのに手間及び時間がかかるのが問題であった。
【０００６】
本発明は、上記課題を解決するためになされたものであり、その目的は、電力供給可能な状態に容易に構築することができる給電ポールを提供することにある。
【課題を解決するための手段】
【０００７】
請求項１に記載の給電ポールは、一端に開口及び側壁に透孔が設けられた中空筒状のポール本体と、当該ポール本体に取着されポール本体の側部に配線器具を据え付けるための器具据付体と、を備えてなり、当該器具据付体は、ポール本体側壁の透孔の少なくとも一部と連通する通孔を有する配線器具固定部と、ポール本体の一端の開口を閉塞する蓋部と、ポール本体の内部に配管される電線管を接続する接続部と、を備え、器具据付体は、配線器具固定部、蓋部及び接続部が一体的に組み付けられたものであることを特徴とする。
【０００８】
請求項２に記載の給電ポールは、一端に開口及び側壁に透孔が設けられた中空筒状のポール本体と、ポール本体に取着されポール本体の側部に配線器具を据え付けるための器具据付体と、を備えてなり、器具据付体は、透孔の少なくとも一部と連通する通孔を有する配線器具固定部と、開口を閉塞する蓋部と、ポール本体の内部に配管される電線管を接続する接続部と、を備え、ポール本体は四角筒状であり、透孔が側壁の隣接する３側面を切り欠いて形成されており、透孔の端縁に器具据付体が取着されていることを特徴とする。
【０００９】
請求項３に記載の給電ポールは、一端に開口及び側壁に透孔が設けられた中空筒状のポール本体と、ポール本体に取着されポール本体の側部に配線器具を据え付けるための器具据付体と、を備えてなり、器具据付体は、透孔の少なくとも一部と連通する通孔を有する配線器具固定部と、開口を閉塞する蓋部と、ポール本体の内部に配管される電線管を接続する接続部と、を備え、透孔は、器具据付体の裏面側をポール本体の側部からポール本体内に収容することが可能な幅で形成されていることを特徴とする。
【００１０】
請求項４に記載の給電ポールは、請求項１乃至３のいずれかの給電ポールにおいて、透孔は、ポール本体一端の開口に連続することを特徴とする。
【００１１】
請求項５に記載の給電ポールは、請求項１乃至４のいずれかの給電ポールにおいて、透孔はポール本体の軸方向に沿って切り欠き形成されていると共に、配線器具固定部は平板状であることを特徴とする。
【００１２】
請求項６に記載の給電ポールは、請求項１乃至５の給電ポールにおいて、接続部は、配線器具固定部の裏側に備えられた箱状の配線ボックスの下端部に設けられていることを特徴とする。
請求項７に記載の給電ポールは、請求項１の給電ポールにおいて、開口は、電線管を接続した状態の接続部を挿入可能な大きさを有することを特徴とする。
【発明の効果】
【００１３】
請求項１に記載の発明によれば、給電ポールがポール本体と当該ポール本体に取着される器具据付体とを備え、器具据付体には配線器具固定部と蓋部と接続部とが設けられていることにより、作業者は、電線管（及び電線）を給電ポールに配管する際に、ポール本体内に配管される電線管を、ポール本体から離脱した状態の器具据付体の接続部にポール本体外部（あるいは透孔又は開口付近）で接続することができる。つまり、作業者はポール本体内の閉塞空間で接続作業をする必要がなく、十分な作業空間を確保しつつ目の届く場所で接続作業を実施することができるため、電線管を接続部に簡単に接続することができる。この電線管が接続された状態の器具据付体をポール本体に取着すれば、配線器具固定部が透孔に配置されると共に蓋部が開口を閉塞して、給電ポールが即座に完成するため、給電ポールを簡単に構築することができる。そして、ポール本体の透孔と当該透孔に連通する配線器具固定部の通孔とを介して電線が接続され、外部に電力を供給することができる。また、ポール本体の開口は、器具据付体をポール本体に取着するだけで、蓋部で閉塞されることから、ポール本体内への雨水等の流入を防止することができる。したがって、本発明によれば、ポール本体内に電線管が配管され且つ電線が配線された電力供給可能な給電ポールを簡単且つ迅速に構築することができる。
【００１４】
請求項２に記載の発明によれば、給電ポールがポール本体と当該ポール本体に取着される器具据付体とを備え、器具据付体には配線器具固定部と蓋部と接続部とが設けられていることにより、作業者は、電線管（及び電線）を給電ポールに配管する際に、ポール本体内に配管される電線管を、ポール本体から離脱した状態の器具据付体の接続部にポール本体外部（あるいは透孔又は開口付近）で接続することができる。つまり、作業者はポール本体内の閉塞空間で接続作業をする必要がなく、十分な作業空間を確保しつつ目の届く場所で接続作業を実施することができるため、電線管を接続部に簡単に接続することができる。この電線管が接続された状態の器具据付体をポール本体に取着すれば、配線器具固定部が透孔に配置されると共に蓋部が開口を閉塞して、給電ポールが即座に完成するため、給電ポールを簡単に構築することができる。そして、ポール本体の透孔と当該透孔に連通する配線器具固定部の通孔とを介して電線が接続され、外部に電力を供給することができる。また、ポール本体の開口は、器具据付体をポール本体に取着するだけで、蓋部で閉塞されることから、ポール本体内への雨水等の流入を防止することができる。したがって、本発明によれば、ポール本体内に電線管が配管され且つ電線が配線された電力供給可能な給電ポールを簡単且つ迅速に構築することができる。加えて、ポール本体が四角筒状であり、透孔がポール本体側壁の隣接する３側面を切り欠いて形成されていることによって、より一層の広い作業空間を確保すると共にポール本体内を視認し易くなり、作業効率性を向上させる効果を奏する。
【００１５】
請求項３に記載の発明によれば、給電ポールがポール本体と当該ポール本体に取着される器具据付体とを備え、器具据付体には配線器具固定部と蓋部と接続部とが設けられていることにより、作業者は、電線管（及び電線）を給電ポールに配管する際に、ポール本体内に配管される電線管を、ポール本体から離脱した状態の器具据付体の接続部にポール本体外部（あるいは透孔又は開口付近）で接続することができる。つまり、作業者はポール本体内の閉塞空間で接続作業をする必要がなく、十分な作業空間を確保しつつ目の届く場所で接続作業を実施することができるため、電線管を接続部に簡単に接続することができる。この電線管が接続された状態の器具据付体をポール本体に取着すれば、配線器具固定部が透孔に配置されると共に蓋部が開口を閉塞して、給電ポールが即座に完成するため、給電ポールを簡単に構築することができる。そして、ポール本体の透孔と当該透孔に連通する配線器具固定部の通孔とを介して電線が接続され、外部に電力を供給することができる。また、ポール本体の開口は、器具据付体をポール本体に取着するだけで、蓋部で閉塞されることから、ポール本体内への雨水等の流入を防止することができる。したがって、本発明によれば、ポール本体内に電線管が配管され且つ電線が配線された電力供給可能な給電ポールを簡単且つ迅速に構築することができる。加えて、ポール本体の側部から器具据付体を取着することができるので、器具据付体をポール本体に容易に取着することができる。 
【００１６】
請求項４に記載の発明によれば、請求項１乃至３の発明の効果に加えて、ポール本体側壁の透孔がポール本体一端の開口と連続していることにより、透孔と開口とが連続する１つの広い開口を形成するため、配線管の接続時においてより広い作業空間を確保することができる。
【００１７】
請求項５に記載の発明によれば、請求項１乃至４の発明の効果に加えて、透孔の切り欠き面が軸方向に沿っていると共に、配線器具固定部が平板形状を有していることにより、器具据付体を、ポール本体の上端開口から、平板状の配線器具固定部を透孔に対して軸方向に摺動させて、ポール本体に安定的に取着することができる。すなわち、器具据付体をポール本体に簡単且つ安定した状態で取着することができる。
【００１８】
請求項６に記載の発明によれば、請求項１乃至５の発明の効果に加えて、接続部が配線器具固定部の裏面側に備えられた箱状の配線ボックスの下端部に設けられていることによって、器具据付体における接続部の形成が簡単となり、また、接続部の強度を高めることができ、且つ、接続部の配置を自在に設定することができる。さらには、配線ボックス内で電線管から飛び出した（電線管の保護から外れた）電線を保護し、断線やショートを防止することができる。
【図面の簡単な説明】
【００１９】
【図１】本発明の一実施形態における給電ポールの分解斜視図。
【図２】図１の給電ポールのボール本体の全体斜視図。
【図３】図２のポール本体の（ａ）部分拡大正面図、及び（ｂ）部分拡大側面図。
【図４】図１の給電ポールの器具据付体の全体斜視図。
【図５】図４の器具据付体の（ａ）正面図、（ｂ）側面図、及び（ｃ）背面図。
【図６】図１の給電ポールを配設した状態の斜視図。
【図７】図６のＡ−Ａ縦断面図。
【図８】給電ポールを給電状態に構築する各ステップを示した図であって、（ａ）は器具据付体に電線管を接続するステップ、（ｂ）は器具据付体をポール本体に取着するステップ、（ｃ）は配線器具を給電ポールに取り付けるステップを示す。
【図９】本発明の一変形例における給電ポールの（ａ）分解斜視図及び（ｂ）側面図。
【図１０】本発明の一変形例における給電ポールの（ａ）分解斜視図及び（ｂ）側面図。
【図１１】本発明の一変形例における給電ポールの（ａ）分解斜視図及び（ｂ）側面図。
【発明を実施するための形態】
【００２０】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２１】
図１は、本発明の一実施形態としての給電ポール１０の分解斜視図である。給電ポール１０は、中空筒状のポール本体１１０と、当該ポール本体１１０の一端に取着された器具据付体１２０とからなる。ポール本体１１０の内部には、基端部が建物等に設置された電源に接続される電線（図７参照）を内挿する電線管Ｃが配設され、当該電線管Ｃの一端部（上端部）の開口から延ばした電線の先端部を接続するための配線器具Ｅが器具据付体１２０に取り付けられる。また、ポール本体１００の下端１１２に設けられた挿通孔１１６から電線管Ｃの他端部（下端部）が所定長、引き出されている。後述するように、この引き出された電線管Ｃの他端部に、配線元（電源）から配管された保護管（図示せず）を接続することによって、電源から給電ポール１０まで配線された電線が電線管Ｃ及び保護管により保護される。次に、ポール本体１１０、及び、当該ポール本体１１０の別体として構成された器具据付体１２０についてそれぞれ説明する。
【００２２】
図２に示すとおり、ポール本体１１０は、上端１１１、下端１１２及び側壁１１３（前側壁１１３ａ、左側壁１１３ｂ、右側壁１１３ｃ及び後側壁１１３ｄ）からなり、上端１１１から下端１１２に長手状に延びる四角筒形状に構成されている。このポール本体１１０の上端１１１には開口１１４が形成され、その下端１１２は閉塞されている。そして、ポール本体１１０の上端１１１の一側面（前側壁１１３ａ）と、当該一側面に隣接する両側面（右側壁１１３ｂ及び左側壁１１３ｃ）の一部とが切り欠かれて、開口１１４と連続するように透孔１１５が延設されている。後述するように、ポール本体１１０の開口１１４及び透孔１１５を覆うように、器具据付体１２０が取着される。また、ポール本体１１０の下端１１２が開口していると共に、その下端１１２付近の前側壁１１３ａには、電線管Ｃ（又は電線）を挿通可能な挿通孔１１６が設けられている。
【００２３】
図３は、ポール本体１１０の上端１１１付近の部分拡大図である。図３（ａ）及び（ｂ）に示すとおり、ポール本体１１０の前側壁１１３ａが幅（水平）方向に沿って切り欠かれていると共に、左右両側壁１１３ｂ，ｃが、ポール本体１１０の軸方向に平行な辺とポール本体１１０の幅方向に平行な辺に沿って側面視Ｌ字形状に切り欠かれていることにより、前面を向いて開口する透孔１１５が前側壁１１３ａから左右両側壁１１３ｂ，ｃに亘って（左右両側壁１１３ｂ，ｃの一部を残して）形成されている。つまり、透孔１１５は、開口１１４との境界（透孔１１５の上縁部）、前側壁１１３ａの幅方向の端縁１１５ａ、軸に沿った端縁１１５ｂ、及び、左右両側壁１１３ｂ、ｃの幅方向の端縁１１５ｃによって区画形成されている。また、図３（ｂ）に示すとおり、このポール本体１１０の側面視において、透孔１１５は、前側壁１１３ａの外面に対して凹設された切り欠き面を有し、当該透孔１１５の軸方向の端縁１１５ｂは前側壁１１３ａの（最）外面の位置よりも内方に位置している。さらに、器具据付体１２０を取着するために、上端１１１付近の後側壁１１３ｄには固定孔１１７ａが、及び、左右両側壁１１３ｂ，ｃの透孔端縁１１５ｃの下縁部には固定孔１１７ｂがそれぞれ穿設されている。
【００２４】
なお、本実施形態では、ポール本体１１０は、金属筒を切り欠き加工することによって形成されているが、本発明のポール本体の材質及び製法これに限定されない。例えば、ポール本体として、硬質樹脂、プラスチック等の素材を選択することも可能であり、開口、透孔等を成形加工により形成することも可能である。
【００２５】
図４は、本実施形態の器具据付体１２０の全体斜視図である。この器具据付体１２０は、表面１２０ａに配線器具Ｅが取り付けられる配線器具固定部１２１と、ポール本体１１０の開口１１４を閉塞するための平面視矩形状の蓋部１２２と、電線管Ｃを飛び出して配線器具Ｅまで延びる電線を保護するための箱状の配線ボックス１２４と、電線管Ｃを接続するための接続部１２５とを備え、これらが一体的に組み付けられたものである。
【００２６】
図５（ａ）〜（ｃ）に示すとおり、配線器具固定部１２１は矩形平板状であり、その側面視において、上端から裏面１２０ｂ側に蓋部１２２が延設され、下端から表面１２０ａ側に屈曲して下方に延びる裾部１２３が設けられている。当該蓋部１２２は、ポール本体１１０の開口１１４を閉塞可能にその幅が設定されている。他方、裾部１２３は、平面視における透孔１１５（すなわち、端縁１１５ａと端縁１１５ｃと切り欠き面下端の辺によって形成された面）を閉塞するために配線器具固定部１２１から表面１２０ａ側に延びる閉塞部１２３ａと、透孔１１５近傍の前側壁１１３ａを覆うために閉塞部１２３ａから下方に延びる被覆部１２３ｂとからなる。また、配線器具固定部１２１の略中央には通孔１２１ａが穿設され、当該通孔１２１ａの上下には、配線器具Ｅを螺子等で固定するための固定孔１２１ｂが穿設されている。これら配線器具固定部１２１、蓋部１２２及び裾部１２３の側部にはフランジ１２６が延在しており、当該フランジ１２６の背面には、後側壁１１３ｄの固定孔１１７ａに対応する固定孔１２７ａが穿設され、さらに、当該フランジ１２６の両側面には、左右側壁１１３ｂ、ｃの両固定孔１１７ｂに対応する固定孔１２７ｂがそれぞれ穿設されている。後述するように、器具据付体１２０をポール本体１１０に取着するときに、当該フランジ１２６と本体ポール１１０の側壁１１３とを当接させつつ、フランジ１２６に穿設された固定孔１２７ａ、ｂと側壁１１３の固定孔１１７ａ、ｂとを合致させてビスで固定する。さらに、配線ボックス１２４が、当該配線ボックス１２４の前面開口と通孔１２１ａとが連通するように、配線器具固定部１２１の裏面１２０ｂ側に設けられている。この配管ボックス１２４の下端には、電線管Ｃを把持して固定可能な略円筒状の接続部１２５が設けられている。
【００２７】
なお、本実施形態で用いられている電線管Ｃは可撓性波付電線管であり、接続部１２５は、当該電線管Ｃの蛇腹の谷部を把持するロック機構を有し、当該ロック機構を始動及び解除させることで、容易に電線管Ｃを着脱可能である。しかしながら、本発明の接続部及び電線管は上記実施形態に限定されず、使用者はその形態を任意に選択できることは言うまでもない。また、本実施形態では、配管ボックス１２４の片側に１つの接続部が設けられているが、本発明はこれに限定されない。すなわち、配管ボックス１２４に複数の接続部を設けることも可能であり、或いは、配管ボックスを介さずに、接続部を配線器具固定部に直接設けることも可能であり、使用者はその用途に合わせて任意にその形態を選択可能である。
【００２８】
また、本実施形態の器具据付体は、硬質樹脂を成形することによって得られるが、本発明はこれに限定されない。例えば、金属板等を採用することも可能であり、その材質及び製法を任意に選択可能である。
【００２９】
図６は、地面に配設された給電ポール１０の全体斜視図である。電線管が配線されたポール本体１１０が地面に立設され、当該ポール本体１１０の上端１１１側に器具据付体１２０が取着されている。器具据付体１２０の蓋部１２２がポール本体上端１１１の開口１１４を閉塞すると共に、配線器具固定部１２１と裾部１２３とが透孔１１５の端縁１１５ａ、１１５ｂ、１１５ｃに亘って配置されている。さらに、配線器具Ｅが通孔１２１ａを覆うように据え付けられる。すなわち、給電ポール１０を給電可能に配設した状態では、開口１１４及び透孔１１５が器具据付体１２０によって閉塞され、ポール本体１１０の内部は雨水などが侵入可能な状態で露出されない。
【００３０】
図７は、給電ポール１０のＡ−Ａ縦断面図である。図７に示すとおり、この給電ポール１０では、透孔１１５と通孔１２１ａ（と配管ボックス１２４前面開口）とは連通しており、当該透孔１１５及び通孔１２１ａを介して、（配線器具Ｅから）外部に電力を供給可能である。
【００３１】
また、図７に示すとおり、配線器具固定部１２１が透孔１１５の切り欠き端縁１１５ｂに沿って配置されているので、配線器具固定部１２１はポール本体１１０の前側壁１１３ａの（最）外面よりも内方に位置している。これによって、当該配線器具固定部１２１の表面に取り付けられた配線器具Ｅが前側壁１１３ａから外方に突出しないように配置されている。なお、本実施形態では、配線器具Ｅが前側壁１１３ａから外方に突出しないように薄型の配線器具Ｅが用いられているが、本発明はこれに限定されず、配線器具を任意に選択可能である。つまり、大型の配線器具をポール本体１１０に取り付け、たとえ配線器具が前側壁１１３ａから外方に突出したとしても、配線器具の突出高さを減少させることができるため、後述する本実施形態による効果を発揮できることは言うまでもない。
【００３２】
さらに、裾部１２３の下向部分と、裾部１２３に設けられた突起１２３ａとで、前側壁１１３ａの透孔１１５下端に近接した縁部を挟み込むことによって、器具据付体１２０はポール本体１１０に安定係止されている。なお、本実施形態では、配線器具Ｅは上部にフードが設けられた防水タイプのコンセントが採用されているが、本発明はこれに限定されず、例えば、フードのない薄型コンセントや他の規格のコンセントを採用することができる。すなわち、使用者は、その用途等に応じて配線器具Ｅを適宜採用することができる。
【００３３】
次に、図８（ａ）〜（ｃ）を参照にして、器具据付体１２０をポール本体１１０に取着して、給電ポール１０を電力供給可能な状態に構築する方法について説明する。
【００３４】
最初に、図８（ａ）に示すとおり、電線を内挿する電線管Ｃの蛇腹の谷部を接続部１２５で把持するように器具据付体１２０の接続部１２５に電線管Ｃの上端を接続する。このとき、予めポール本体１１０内に配管された電線管Ｃを、ポール本体１１０の開口１１４及び透孔１１５を介してポール本体１１０内から引き出して、器具据付体１２０の接続部１２５に接続することができる。あるいは、ポール本体１１０に未だ配管されていない電線管Ｃを、ポール本体１１０外で器具据付体１２０の接続部１２５に接続することもできる。この場合、器具据付体１２０に接続された状態の電線管Ｃをポール本体１１０に軸方向に沿って挿通して、ポール本体１１０内に電線管Ｃを配管する。
【００３５】
次に、図８（ｂ）に示すとおり、ポール本体上端１１１に形成された開口１１４から、ポール本体下端１１２に向けて、電線管Ｃをポール本体１１０内に挿通させつつ、器具据付体１２０を軸方向に沿って下方に移動させる。そして、フランジ１２６側面と左右側壁１１３ｂ，ｃの外面とを当接させる共に、配線器具固定部１２１の裏面と透孔１１５の端縁１１５ｂとを当接させつつ、器具据付体１２０をポール本体１１０に対してさらに下方に摺動させる。このとき、器具据付体１２０の裏面に位置する配線ボックス１２４及び接続部１２５が、ポール本体１１０内部に開口１１４を介して挿通される。そして、器具据付体１２０が透孔１１５を縦断するように、器具据付体１２０を下方に摺動させていくと、蓋部１２２が開口１１４の端縁と係合して開口１１４を閉塞し、且つ、裾部１２３が透孔１１５の幅方向の端縁１１５ａ、１１５ｃ上に配置される。つまり、器具据付体１２０をポール本体１１０の開口１１４及び透孔１１５を覆うように配置する。このとき、フランジ１２６に形成された固定孔１２７ａ、ｂと、側壁１１３に形成された固定孔１１７ａ、ｂとが合致し、両固定孔１１７，１２７にビスを螺着することにより、器具据付体１２０がポール本体１１０に固定される。
【００３６】
器具据付体１２０をポール本体１１０に固定した状態において、図１に示すように、電線管Ｃの他端部がポール本体１１１の挿通孔１１６から引き出されるように配置する。そして、ポール本体１１０を設置場所に立設すると共に、この引き出された電線管Ｃの他端部に、配線元（電源）から配管された保護管を接続する（図示せず）。なお、電線を土中に埋設する際には、ポール本体１１０の下端１１１の所定長と電線管Ｃの他端部及び保護管とを埋設する。次に、保護管及び電線管Ｃに電線を配線し、配線器具固定部１２１の通孔１２１ａから電線の先端を引き出す。
【００３７】
そして、図８（ｃ）に示すとおり、電線管Ｃから飛び出して上方に延びる電線と配線器具Ｅとを、透孔１１５及び通孔１２１ａを介して接続し、電線を電線管Ｃ内に押し入れながら、当該配線器具Ｅを、通孔１２１ａの縁部に設けられた固定孔１２１ｂを介して配線器具固定部１２１にビスで固定する。
【００３８】
なお、説明した方法では、器具据付体１２０を軸方向に移動させてポール本体１１０に取着させているが、器具据付体１２０をポール本体１１０の前側壁１１３ａの外面側から内面側へと移動させてもよい。すなわち、本実施形態では、透孔１１５は、器具据付体１２０の裏面１２０ａ側（配線ボックス１１４及び接続部１１５）を通過可能な幅で形成されているので、器具据付体１２０を幅方向に移動させてポール本体１１０に取着することも可能である。
【００３９】
以下、本発明の一実施形態の給電ポール１０の作用効果について説明する。
【００４０】
本実施形態によれば、給電ポール１０がポール本体１１０と当該ポール本体１１０に取着される器具据付体１２０とを備え、且つ、器具据付体１２０には配線器具固定部１２１と蓋部１２２と接続部１２５とが設けられている。したがって、作業者は、電線管Ｃ（及び電線）を給電ポール１０に配設する際に、ポール本体１１０と器具据付体１２０とが離脱した状態で、ポール本体１１０内に配管される電線管Ｃを接続部１２５に接続する作業をポール本体１１０の外部（あるいは透孔１１５又は開口１１４付近）で実施することができる。つまり、作業者はポール本体１１０内の閉塞空間で接続作業をする必要がなく、十分な作業空間を確保しつつ目の届く場所で接続作業を実施することができるため、電線管Ｃを接続部１２５に簡単に接続することができる。さらには、器具据付体１２０に蓋部１２２が備えられていることにより、この電線管Ｃが接続された状態の器具据付体１２０をポール本体１１０に取着すれば、配線器具固定部１２１が透孔１１５に配置されると共に蓋部１２２が開口１１４を閉塞して、給電ポール１０が即座に完成するため、給電ポール１０を簡単に構築することができる。
【００４１】
また、予め電線管Ｃがポール本体１１０内に配線されている場合には、電線管Ｃをポール本体１１０の外側に引き出すことにより、接続作業を容易に実施することができる。他方、電線管Ｃを（ポール本体１１０内及び地面へ）配設する前に、電線管Ｃと接続部１２５とを接続することも可能である。この場合、電線管Ｃを（ポール本体１１０の外側で）接続部１２５に接続した後に、電線管Ｃをポール本体１１０内に配管するのであるが、器具据付体１２０に接続された電線管Ｃをポール本体１１０の軸方向に挿通させることができるので、ポール本体１１０内部への挿通（配管）作業が容易になるという効果をも奏する。
【００４２】
そして、本実施形態の給電ポール１０では、透孔１１５がポール本体一端１１１の開口１１４と連通するように延設されている。したがって、電線管Ｃをポール本体１１０の側壁１１３から上端１１１にかけて取り扱うことができる広い作業空間を得ると共に、器具据付体１２０を開口１１４及び透孔１１５を介して移動させることによってポール本体１１０への取着位置に迅速且つ簡単に配置することができる。また、透孔１１５の切り欠き面が軸方向に沿っていると共に、配線器具固定部１２１が平板形状（平坦面）を有することにより、配線器具固定部１２１の平坦面が透孔１１５の切り欠き面にガイドされつつ取着位置まで摺動し、安定して固定されうる。すなわち、器具据付体１２０をポール本体１１０への取着位置に簡単に安定した状態で配置することができる。
【００４３】
さらに、ポール本体１１０は、透孔１１５が側壁１１３の前側壁１１３ａから左右側壁１１３ｂ、ｃの３側面に亘って切り欠き形成されていることによって、側壁１１３になるべく当接しないように電線管Ｃを取り扱うことができると共に、ポール本体１１０内部をより広範囲に視認可能であるので、たとえ暗所における作業であろうとも、給電ポール１０の構築作業を容易に行うことができる。また、透孔１１５は、器具据付体１２０の裏面１２０ａ側をポール本体１１０の前側壁１１３ａ外面側からポール本体１１０内に収容することが可能な幅で形成されているので、前方（前側壁１１３ａ側）からも器具据付体１２０をポール本体１１０に装着することができる。つまり、作業者は状況に応じて取着方向（軸方向又は幅方向）を選択でき、器具据付体をポール本体に容易に取着することができる。したがって、本実施形態に係る給電ポール１０は、ポール本体１１０内に電線管Ｃが配管された電力供給可能な状態に簡単且つ迅速に構築されうる。
【００４４】
本実施形態の給電ポール１０では、器具据付体１２０の蓋部１２２がポール本体上端１１１の開口１１４を閉塞すると共に、配線器具固定部１２１と裾部１２３（閉塞部１２３ａ）とが透孔１１５を正面視及び平面視において覆っていることにより、給電ポール１０を給電可能に配設した状態においてポール本体１１０の内部が露出されない。すなわち、器具据付体１２０の蓋部１２０と配線器具固定部１２１とが一体的に形成されており、このような少ない部材点数からなる当該器具据付体１２０をポール本体１２０に取着するだけで、内部への雨水等の流入を防止することができ、別途止水策や止水箇所を設けることなく、止水効果が発揮される。
【００４５】
そして、本実施形態の給電ポール１０では、配線器具固定部１２１が透孔１１５の切り欠きに沿って配置されているので、配線器具固定部１２１はポール本体１１０の前側壁１１３ａの外面よりも内方に位置しており、配線器具Ｅが前側壁１１３ａの外面から外方に突出する高さを減少させることができる。これによって、給電ポール１０に据え付けられた配線器具Ｅに通行人や乗り物等が不意に衝突して、配線器具Ｅが故障したり、通行人が怪我をしたりする虞が軽減すると共に、給電ポール１０の外観を改善することができる。
【００４６】
（変形例１）
一実施形態の給電ポール１０は、ポール本体１１０が四角筒形状を有しているが、本発明はこれに限定されない。例えば、図９に示す給電ポール１０Ａでは、ポール本体１１０Ａが円筒形状に構成されている。そして、ポール本体１１０Ａの側壁１１３Ａを平面視（円）弧状に切り欠くことにより透孔１１５Ａが形成され、当該透孔１１５Ａと開口１１４Ａとが連続している。この器具据付体１２０Ａでは、開口１１４Ａの形状及び透孔１１５Ａの平面視形状に対応するように、蓋部１２２Ａ及び裾部１２３Ａが平面視円弧状をなしている。すなわち、器具据付体１２０Ａはポール本体１１０Ａの開口１１４Ａ及び透孔１１５Ａに亘って取着されうる。なお、ポール本体の形状は、四角筒又は円筒形状に限定されず、他の多角形平面視を有する中空筒体を任意に採用可能である。
【００４７】
（変形例２）
一実施形態の給電ポール１０では、前側壁１１３ａから左右側壁１１３ｂ、ｃの３側面に亘って透孔１１５が切り欠かれており、器具据付体１２０の配線器具固定部１２１が側壁１１３の外面よりも内方に配置されているが、本発明はこれに限定されない。例えば、図１０に示した給電ポール１０Ｂでは、ポール本体１１０Ｂの前側壁１１３ａＢの両横縁が残るように、前側壁１１３ａＢのみに透孔１１５Ｂが切り欠き形成されており、器具据付体１２０Ｂの配線器具固定部１２１Ｂは、前側壁１１３ａＢの外面よりも外方に位置している。この給電ポール１０Ｂでは、器具据付体１２０Ｂが配線器具固定部１２１Ｂと、蓋部１２２Ｂと、接続部１２５Ｂとを少なくとも備えていることによって、電線管の接続作業をポール本体１１０Ｂの外部で実施し、給電ポール１０Ｂを電力供給可能な状態に簡単に構築することができる。
【００４８】
（変形例３）
一実施形態の給電ポール１０では、ポール本体１１０は、開口１１４と透孔１１５とが連続するように切り欠かれているが、本発明はこれに限定されない。例えば、図１１に示した給電ポール１０Ｃでは、ポール本体１１０Ｃの開口１１４Ｃとは連続せずに、前側壁１１３ａＣに矩形状の透孔１１５Ｃが切り抜かれて形成されている。さらに、図１１（ｂ）に示すとおり、器具据付体１２０Ｃがポール本体１１０Ｃに取着した状態で、配線器具固定部１２１Ｃは、ポール本体１１０Ｃの側壁１１３Ｃ内に配置されているので、前側壁１１３ａＣの外面よりも内方に位置している。この給電ポール１０Ｃでは、ポール本体１１０Ｃの透孔１１５Ｃから電線管を引き出してポール本体１１０Ｃの外部で電線管の接続作業を行うか、或いは、ポール本体１１０Ｃの外部で電線管を接続した上で、電線管を透孔１１５Ｃを介してポール本体１１０Ｃ内部に配管することによって、給電ポール１１０Ｃを電力供給可能な状態に簡単に構築することができる。
【００４９】
また、本発明の通孔及び透孔の形状は一実施形態や上記変形例に限定されるものではない。例えば、通孔及び透孔を円形、三角形に形成したとしても、本発明の給電ポール１０は通孔及び透孔を介して外部に電力を供給することができるので、その形状を任意に選択及び変更できるのは言うまでもない。
【００５０】
なお、本発明は上述した実施形態や変形例に限定されるものではなく、本発明の技術的範囲に属する限りにおいて種々の態様で実施しうるものである。
【符号の説明】
【００５１】
１０      給電ポール
１１０    ポール本体
１１１    上端
１１２    下端
１１３    側壁
１１３ａ  前側壁（一側面）
１１４    開口
１１５    透孔
１２０    器具据付体
１２０ａ  表面
１２０ｂ  裏面
１２１    配線器具固定部
１２１ａ  通孔
１２２    蓋部
１２３    裾部
１２３ａ  閉塞部
１２３ｂ  被覆部
１２４    配管ボックス
１２５    接続部
Ｃ        電線管
Ｅ        配線器具
【図１】
0005711610.tif 000002
【図２】
0005711610.tif 000003
【図３】
0005711610.tif 000004
【図４】
0005711610.tif 000005
【図５】
0005711610.tif 000006
【図６】
0005711610.tif 000007
【図７】
0005711610.tif 000008
【図８】
0005711610.tif 000009
【図９】
0005711610.tif 000010
【図１０】
0005711610.tif 000011
【図１１】
0005711610.tif 000012